(57)【要約】      （修正有）【課題】傘の柄に取り付けて持ち運べるスマートな携帯性と、必要時に取り出して繰り返し使用できる省資源性とに富む傘の柄への巻き付けが自在な収納用小袋付き傘カバーを提供する。【解決手段】一側短辺１２側に開口部１３を備え、傘の柄を除く部位を収容する傘カバー１１と、傘カバーの折り畳んだ状態での出し入れが自在なスライドファスナー２５を前面側の長さ方向に具備させた横長の収納用小袋２１とで構成され、収納用小袋２１は、傘の柄回りへの周回配置を可能とすべく、その長さ方向での一端側の前面には一側止着片を、他端側の後面には他側止着片を相互の係合離脱を自在に配置するとともに、収納用小袋２１には、その後面側の長さ方向と交差する位置関係のもとで傘の柄を径別に挿通支持させる小径側支持部と大径側支持部とを備える弾性支持片を付設した。【選択図】図３
0003213755.tif 000002
【実用新案登録請求の範囲】
【請求項１】
閉状態にある傘の柄を除く部位を収容する傘カバーと、該傘カバーの折り畳んだ状態での出し入れが自在なスライドファスナーをその前面側の長さ方向に具備させた横長の収納用小袋とで構成され、
該収納用小袋は、傘の前記柄回りへの周回配置を可能とすべく、その長さ方向での一端側の前面には一側止着片を、他端側の後面には他側止着片を相互の係合離脱を自在に配置するとともに、
前記収納用小袋には、その後面側の長さ方向と交差する位置関係のもとで前記柄を径別に挿通支持させる小径側支持部と大径側支持部とを備える弾性支持片を付設したことを特徴とする傘の柄への巻き付けが自在な収納用小袋付き傘カバー。
【請求項２】
前記一側止着片は、差し込み側スナップまたは受け側スナップであり、前記他側止着片は前記受け側スナップまたは前記差し込み側スナップである請求項１に記載の傘の柄への巻き付けが自在な収納用小袋付き傘カバー。
【請求項３】
前記一側止着片は、フック側面ファスナー片またはループ側面ファスナー片であり、前記他側止着片は、前記ループ側面ファスナー片または前記フック側面ファスナー片である請求項１に記載の傘の柄への巻き付けが自在な収納用小袋付き傘カバー。
【請求項４】
前記収納用小袋は、長さ方向での一端側を先細り部とし、他端側を該長さ方向と直交する方向に向かう直線部とした請求項１ないし３のいずれかに記載の傘の柄への巻き付けが自在な収納用小袋付き傘カバー。
【請求項５】
前記傘カバーは、その両面側を訴求力のあるメッセージ表示面とした請求項１ないし４のいずれかに記載の傘の柄への巻き付けが自在な収納用小袋付き傘カバー。
【考案の詳細な説明】
【技術分野】
【０００１】
本考案は、傘が濡れていないときは傘の柄に収納用小袋を介して巻き付けて携行でき、濡れた傘を店舗内や車内に持ち込む際に収納用小袋から傘カバーを取り出して濡れ傘を入れておくことができる傘の柄への巻き付けが自在な収納用小袋付き傘カバーに関する技術である。
【背景技術】
【０００２】
降雨時に使用した傘は、出入り口に用意されているビニール袋に入れてスーパーマーケットなどの店舗内に持ち込むことで床面を濡らさないようにしたり、傘カバーに入れてから混み合う電車等の乗り物に乗り込むようにして他人に雨滴を付着させないようにするのがマナーに適った振る舞いとされている。
【０００３】
この場合、店舗の出入り口に用意されるビニール袋については、例えば特許文献１に示される「傘の袋収納装置」の装置本体に予め多数枚装填しておき、客が傘をビニール袋に差し込んで取り出した上で、ビニール袋入りの傘として店舗内に持ち込むことができるようになっている。
【０００４】
また、降雨で濡れた傘を持って混み合う電車等の乗り物に乗り込む際などのように人で混み合う場所に濡れ傘を持ち込む際には、例えば特許文献２に示される「傘袋」に濡れ傘を収納して肩に掛けておくことで、他人に濡れ傘を接触させて不快な思いをさせるというようなことをなくすようにしたものもある。
【先行技術文献】
【特許文献】
【０００５】
【特許文献１】特開平７−１５６９２５号公報
【特許文献１】特開平９−１５４６１２号公報
【考案の概要】
【考案が解決しようとする課題】
【０００６】
特許文献１の「傘の袋収納装置」を用いる場合は、多数枚のビニール袋を装填しておく装置本体におけるビニール袋供給機構が複雑であることから設置コストが嵩むばかりでなく、使用後のビニール袋は全て無駄に使い捨てられてしまい省資源という時代の要請に逆行する不都合があった。
【０００７】
また、特許文献２の「傘袋」を用いる場合は、降雨時に傘を差して外出する際に空の傘袋を肩に掛けておき、店舗内に入る際や人で混み合う乗り物に乗る際などには閉じた傘を傘袋内に入れて肩に掛けて持ち運ばなければならないため、携行性に難があるばかりでなく、荷物が増えて円滑な移動に支障を来す不具合があった。
【０００８】
本考案は、上記特許文献を含む従来技術にみられた上記課題に鑑み、傘の柄に取り付けて持ち運べるスマートな携帯性と、必要な時に取り出して使い捨てることなく繰り返し使用できる省資源性とを兼ね備える傘の柄への巻き付けが自在な収納用小袋付き傘カバーを提供することをその目的とする。
【課題を解決するための手段】
【０００９】
本考案は、上記目的を達成すべくなされたものであり、閉状態にある傘の柄を除く部位を収容する傘カバーと、該傘カバーの折り畳んだ状態での出し入れが自在なスライドファスナーをその前面側の長さ方向に具備させた横長の収納用小袋とで構成され、該収納用小袋は、傘の前記柄回りへの周回配置を可能とすべく、その長さ方向での一端側の前面には一側止着片を、他端側の後面には他側止着片を相互の係合離脱を自在に配置するとともに、前記収納用小袋には、その後面側の長さ方向と交差する位置関係のもとで前記柄を径別に挿通支持させる小径側支持部と大径側支持部とを備える弾性支持片を付設したことを最も主要な特徴とする。
【００１０】
この場合、前記一側止着片は、差し込み側スナップまたは受け側スナップとし、前記他側止着片は、前記受け側スナップまたは前記差し込み側スナップとすることができるほか、前記一側止着片は、フック側面ファスナー片またはループ側面ファスナー片とし、前記他側止着片は、前記ループ側面ファスナー片または前記フック側面ファスナー片とすることもできる。
【００１１】
また、前記収納用小袋は、長さ方向での一端側を先細り部とし、他端側を該長さ方向と直交する方向に向かう直線部とするのが望ましい。
【００１２】
さらに、前記傘カバーは、その両面側を訴求力のあるメッセージ表示面として活用できるように形成することもできる。
【考案の効果】
【００１３】
請求項１の考案によれば、収納用小袋は、その表面側の長さ方向にスライドファスナーを具備させてあるので、該スライドファスナーを開状態とすることで折り畳んだ状態の傘カバーを出し入れできるほか、閉状態とすることで収納した傘カバーの脱落を阻止して安定的に持ち運ぶことができる。
【００１４】
また、収納用小袋は、その長さ方向での一端側の前面に一側止着片を、他端側の後面に他側止着片を備えているので、傘の柄回り周回配置した際に一側止着片と他側止着片とを単に係着させることで、直ちに柄回りに巻き付けて傘側と一体化させて持ち運ぶことができる。さらに、収納用小袋は、一側止着片と他側止着片との係着状態を解除することで、直ちに傘側から取り外すことができる。
【００１５】
しかも、収納用小袋の後面部には、その長さ方向と交差する位置関係のもとで傘の柄を径別に挿通支持させる小径側支持部と大径側支持部とからなる弾性支持片を具備させてあるので、婦人用の傘のように柄の径が細い場合には小径側支持部を挿通させることで、紳士用の傘のように柄の径が太い場合には大径側支持部を挿通させることで、それぞれ弾性を伴って確実に支持させることができるので、位置移動や抜け落ちを阻止することができる。
【００１６】
請求項２の考案によれば、一側止着片を差し込み側スナップまたは受け側スナップとし、他側止着片を受け側スナップまたは差し込み側スナップとしてあるので、受け側スナップまたは差し込み側スナップを対応する差し込み側スナップまたは受け側スナップに対し押し込んだり引っ張ったりするワンタッチ動作をすることで、簡単に相互を係着させたり引き離したりすることができる。
【００１７】
請求項３の考案によれば、一側止着片をフック側面ファスナー片またはループ側面ファスナー片とし、他側止着片をループ側面ファスナー片またはフック側面ファスナー片としてあるので、ループ側面ファスナー片またはフック側面ファスナー片に対応するフック側面ファスナー片またはループ側面ファスナー片を押し当てることで係着させたり、引き剥がすことで離脱させたりすることができ、比較的力の弱い子供もや老人であってその着脱操作を容易に行うことができる。
【００１８】
請求項４の考案によれば、収納用小袋の一端側を先細り部とし、他端側を直線部としてあるので、先細り部側を直線部側の上に被せるようにして係着させて傘の柄にお飾り感覚のもとで収納用小袋を取り付けることができるので、装飾付きのおしゃれな傘として気分よく携行することができる。
【００１９】
請求項５の考案によれば、傘カバーの両面を訴求力のあるメッセージ表示面として活用することができるので、広告主が会社名や商品名を入れて提供する贈呈用広告媒体（ノベルティー）としての利用のほか、所望に応じたメッセージ表現媒体として利用することができる。
【図面の簡単な説明】
【００２０】
【図１】折り畳んだ傘カバーを収納用小袋内に収納した状態での本考案の一例を示す正面側説明図。
【図２】折り畳んだ傘カバーを収納用小袋内に収納した状態での本考案の一例を示す背面側説明図。
【図３】折り畳んだ傘カバーを収納用小袋から取り出した状態を示す説明図。
【図４】本考案を構成する傘カバーの一例を示す展開図。
【図５】本考案を構成する収納用小袋を介して径の太い傘の柄を挿通支持させた状態を示す要部説明図。
【図６】本考案を構成する収納用小袋を介して径の細い傘の柄を挿通支持させた状態を示す要部説明図。
【図７】傘の柄に対する本考案の取付け状態例を示す要部説明図。
【考案を実施するための形態】
【００２１】
図１〜図４は、本考案の一例を、図５〜図７は、本考案の使用状態をそれぞれ示す。これらの図によれば、本考案に係る傘の柄への巻き付けが自在な収納用小袋付き傘カバーは、閉状態にある傘３１の柄３２を除く部位を収容する傘カバー１１と、該傘カバー１１の折り畳んだ状態での出し入れが自在なスライドファスナー２５をその前面部２２側の長さ方向に具備させた横長の収納用小袋２１とで構成されれている。
【００２２】
防水加工を施して防水性を付与するなど、適宜の撥水性を備えたナイロン素材を用いて形成される傘カバー１１は、閉状態にある傘４１の柄４２を除く部位を収容することができる幅と長さ、例えば図４に示すように展開した際の幅が９．５ｃｍ前後で、長さが７４ｃｍ前後であって、その一側短辺１２側に開口部１３を備える略長方形を呈する袋状に形成されている。
【００２３】
また、傘カバー１１の開口部１３近傍の一側長辺１４側には、図４にも示されているように該一側長辺１４とは直交する方向を長さ方向とする位置関係のもとで適宜幅と長さ、例えば幅１．５ｃｍ前後で長さが１７ｃｍ前後の薄紐材１５の一端１５ａ側が縫着されている。該薄紐材１５は、開口部１３近傍側に位置する一端１５ａ側の裏面１６にフック側面ファスナー片１７が、他端１５ｂ側の表面１８にループ側面ファスナー片１９がそれぞれ固着されている。
【００２４】
さらに、傘カバー１１は、広告主が会社名や商品名を入れて提供する贈呈用広告媒体（ノベルティー）として、あるいはその他の所望に応じた表現等を表示するための表現媒体として利用することができるように、その両面を訴求力のあるメッセージ表示面２０として用いるべく無地にして形成するのが好ましいが、単に適宜の色彩と模様とを付与して形成するものであってもよい。
【００２５】
一方、適宜の撥水性を備えたナイロン素材などからなる収納用小袋２１は、幅が４．５ｃｍ前後で、長さが１５ｃｍ前後の横長であり、その長さ方向での一端（図２では右端）側が先細り部２３で、他端（図２では左端）側が長さ方向と直交する方向に向かう直線部２４となった図２に示す後面部２６と、該後面部２６の面サイズよりもやや大きな略相似形状を呈する面サイズからなる図１に示す前面部２２とを、これら後面部２６と前面部２２との上縁対面部位２６ａ，２２ａと下縁対面部位２６ｂ（図２参照），２２ｂ（図３参照）とのそれぞれに襠部２７（下縁対面部位２６ｂ，２２ｂ側の襠部は図示省略）を介在させることで、前面部２２側が図１〜図３に示すように上方にやや膨出する状態のもとで縫い合わせることで一体的に形成されている。なお、収納用小袋２１は、所望により一端側も他端側の直線部２４と同様に直線部として形成することもできる。
【００２６】
また、このようにして形成される収納用小袋２１は、図７に示すように傘４１の柄４２回りへの周回配置を可能とすべく、その長さ方向での一端寄りの前面２１ａ側には一側止着片２８を、他端寄りの後面２１ｂ側に他側止着片３０を相互の係合離脱を自在に配置することで形成されている。
【００２７】
これを図示例に基づいて具体的に説明すれば、一側止着片２８は、突起部２９ｂを有する差し込み側スナップ２９により、他側止着片３０は、嵌合穴３１ａを有する受け側スナップ３１によりそれぞれ形成されている。なお、所望によっては、一側止着片２８を受け側スナップ３１により、他側止着片３０を差し込み側スナップ２９によりそれぞれ形成したり、一側止着片２８をフック側面ファスナー片またはループ側面ファスナー片により、他側止着片３０をループ側面ファスナー片またはフック側面ファスナー片によりそれぞれ形成することもできる。また、一側止着片２８は、ボタンまたはボタン穴とし、他側止着片３０は、ボタン穴またはボタンとして形成することもできる。
【００２８】
しかも、収納用小袋２１の後面２１ｂ側には、その長さ方向と交差（直交を含む）する位置関係のもとで傘４１の柄４２を径別に挿通支持させる小径側支持部３３と大径側支持部３４とを備える弾性支持片３２が付設されている。
【００２９】
すなわち、平ゴムやゴム編みするなどして得られる伸縮性に富むゴム性素材からなる弾性支持片３２は、その幅が１〜２ｃｍ前後で、長さが５．５〜６．５ｃｍ前後の面サイズのものが用いられ、長さ方向での一方の側に２ｃｍ前後の小径側支持部３３が、他方の側に３．５ｃｍ前後の大径側支持部３４が確保されるように、収納用小袋２１の後面部２６に左端側と右端側と中央位置からやや偏倚させた位置との計３箇所に各別に縦縫部３２ａ〜３２ｃを形成することで収納用小袋２１の後面２１ｂ側に付設されている。
【００３０】
次に、上記構成に係る本考案の作用・効果について説明すれば、収納用小袋２１は、その前面２１ａ側の長さ方向にスライドファスナー２３を具備させてあるので、該スライドファスナー２３を図３に示すように開状態とすることで折り畳んだ状態にある傘カバー１１を出し入れできるほか、スライドファスナー２３を図１に示すように閉状態とすることで収納した傘カバー１１の脱落を阻止して安定的に持ち運ぶことができることになる。
【００３１】
また、収納用小袋２１は、その長さ方向での一端寄りの前面２１ａ側には一側止着片２８を、他端寄りの後面２１ｂ側に他側止着片３０をそれぞれ備えているので、傘４１の柄４２回りに周回配置した際に一側止着片２８と他側止着片３０とを単に係着させることで、図７に示すように直ちに柄４２回りに巻き付けて傘４１側と一体化させることができる。
【００３２】
さらに、収納用小袋２１は、一側止着片２８と他側止着片３０との係着状態を解除することで、直ちに傘４１側から取り外すことができる。
【００３３】
しかも、収納用小袋２１の後面２１ｂ側には、その長さ方向と交差（直交を含む）する位置関係のもとで傘４１の柄４２を径別に挿通支持させるための小径側支持部３３と大径側支持部３４とを備える弾性支持片３２が付設されているので、婦人用の傘のように柄の径が細い場合には図６に示すように小径側支持部３３を挿通させることで、紳士用の傘のように柄の径が太い場合には図５に示すように大径側支持部３４を挿通させることで、それぞれ弾性を伴って確実に支持させることができるので、位置移動（遊動）や抜け落ちを阻止することができる。
【００３４】
また、一側止着片２８を差し込み側スナップ２９または受け側スナップとし、他側止着片３０を受け側スナッ３１プまたは差し込み側スナップとしてある場合は、受け側スナップ３１の嵌合穴３１ａまたは差し込み側スナップの突起部と差し込み側スナップ２９の突起部２９ａまたは受け側スナップの嵌合穴との間で押し込んだり引っ張ったりするワンタッチ動作をすることで、簡単に相互を係着させたり引き離したりすることができる。
【００３５】
さらに、一側止着片２８をフック側面ファスナー片またはループ側面ファスナー片とし、他側止着片３０をループ側面ファスナー片またはフック側面ファスナー片としてある場合には、ループ側面ファスナー片またはフック側面ファスナー片にフック側面ファスナー片またはループ側面ファスナー片を押し当てることで係着させたり、引き剥がすことで離脱させたりすることができ、比較的力の弱い子供もや老人であってその着脱操作を容易に行うことができる。
【００３６】
また、収納用小袋２１の一端側を先細り部２３とし、他端側を直線部２４としてある場合には、先細り部２３側を直線部２４側の上に被せるようにして係着させて傘４１の柄４２にお飾り感覚のもとで収納用小袋２１を取り付けることができるので、装飾付きのおしゃれな傘として気分よく携行することができる。
【００３７】
一方、傘カバー１１の両面側を訴求力のあるメッセージ表示面２０として活用できる場合には、広告主が会社名や商品名を入れて提供する贈呈用広告媒体（ノベルティー）としての利用のほか、所望に応じたメッセージ表現媒体として利用することができる。
【符号の説明】
【００３８】
１１  傘カバー
１２  一側短辺
１３  開口部
１４  一側長辺
１５  薄紐材
１５ａ  一端
１５ｂ  他端
１６  裏面
１７  フック側面ファスナー片
１８  表面
１９  ループ側面ファスナー片
２０  メッセージ表示面
２１  収納用小袋
２１ａ  前面
２１ｂ  後面
２２  前面部
２２ａ  上縁対面部位
２２ｂ  下縁対面部位
２３  先細り部
２４  直線部
２５  スライドファスナー
２６  後面部
２６ａ  上縁対面部位
２６ｂ  下縁対面部位
２７  襠部
２８  一側止着片
２９  差し込み側スナップ
２９ａ  突起部
３０  他側止着片
３１  受け側スナップ
３１ａ  嵌合穴
３２  弾性支持片
３２ａ〜３２ｃ  縦縫い部
３３  小径側支持部
３４  大径側支持部
４１  傘
４２  柄
【図１】
0003213755.tif 000003
【図２】
0003213755.tif 000004
【図３】
0003213755.tif 000005
【図４】
0003213755.tif 000006
【図５】
0003213755.tif 000007
【図６】
0003213755.tif 000008
【図７】
0003213755.tif 000009